(57)【要約】【課題】衣類に損傷を与えることなく衣類に縫着されたラベル等を極めて容易に取り外すことができるラベルの取付け構造、ラベルの取外し方法及びラベルを提供する。【解決手段】衣類１０の所定部位に配置されたラベル１を、衣類１０の縫着部２０の耐熱温度よりも低い温度で融解する低融点繊維糸５を用いて当該衣類１０の一部に縫着することにより、当該ラベル１の一部が当該衣類１０の一部と接合されるラベルの取付け構造と、熱源を用いて低融点繊維糸５の融点域まで加熱して、低融点繊維糸５を融解させた後に、衣類１０からラベル１を取り外すラベルの取外し方法、及びラベル１の縫着部２０の加熱を促す案内表示部３が設けられているラベル１。【選択図】図１
2014160159.tif 000002
【特許請求の範囲】
【請求項１】
衣類の所定部位に配置されたラベルを、前記衣類の縫着部の耐熱温度よりも低い温度で融解する低融点繊維糸を用いて当該衣類の一部に縫着することにより、当該ラベルの一部が当該衣類の一部と接合されるラベルの取付け構造。
【請求項２】
前記ラベルと前記衣類とが、上糸と下糸の二本の縫糸が交絡する本縫いで縫着され、前記上糸と下糸の少なくとも一方に前記低融点繊維糸が用いられている請求項１記載のラベルの取付け構造。
【請求項３】
前記ラベルと前記衣類とが、前記低融点繊維糸を用いた環縫いで縫着されている請求項１記載のラベルの取付け構造。
【請求項４】
前記低融点繊維糸は、ポリアミド系繊維糸、ポリエステル系繊維糸またはポリオレフィン系繊維糸から選ばれる熱融着性繊維糸で構成されている請求項１から３の何れかに記載のラベルの取付け構造。
【請求項５】
前記低融点繊維糸の融点が５０℃から２００℃の範囲である請求項１から４の何れかに記載のラベルの取付け構造。
【請求項６】
前記低融点繊維糸は、単繊維繊度が２５ｄｔｅｘから１１０ｄｔｅｘのフィラメント糸が複数本撚糸されて構成されている請求項１から５の何れかに記載のラベルの取付け構造。
【請求項７】
請求項１から６の何れかに記載のラベルの取付け構造を用いて衣類に取り付けられたラベルの縫着部を、熱源を用いて前記低融点繊維糸の融点域まで加熱して、前記低融点繊維糸を融解させた後に、前記衣類から前記ラベルを取り外すラベルの取外し方法。
【請求項８】
請求項１から６の何れかに記載のラベルの取付け構造に用いられるラベルであって、当該ラベルの縫着部の加熱を促す案内表示部が設けられているラベル。
【発明の詳細な説明】
【技術分野】
【０００１】
本発明は、ラベルの取付け構造、ラベルの取外し方法及びラベルに関し、例えばアンダーシャツやショーツ等のアンダーウェアを含む各種の衣類の所定部位に付される紙ラベル等のラベルの取付け構造等に関する。
【背景技術】
【０００２】
インナーウェアを含む各種の衣類には、製造元、連絡先、サイズ、素材、製品名、価格等が表示された商品表示用のラベルがその表面側に縫着されている。このような衣類の購入者は、着用前に衣類から当該ラベルを取り外す必要がある。その際、ハサミ等の工具を用いて縫い糸を切断してラベルを取り外し、或いはラベル自体を縫目に沿って切断してラベルを除去するような作業が要求される。場合によっては、縫目に沿って力ずくでラベルを破断する場合もある。
【０００３】
このようなラベルの取外し作業中に誤って当該衣類に解れや裂け等の損傷を与える虞があるため、衣類に縫い糸が残存したり損傷を与えたりすることなくラベルを容易に取り外すことができるラベル取付け構造が提案されている。
【０００４】
特許文献１には、ラベルの表面側に露出する上糸と、該ラベルが取り付けられる衣類の裏面側に露出する下糸とからなる縫糸を用いて本縫いで縫着され、縫い始め位置と縫い終わり位置がラベルの左右両端より所定寸法離れた位置とされ、縫い終わり位置に連続する後方位置または縫い始め位置へと連続する前方位置に０．３ｃｍ以上２．０ｃｍ以下の長さで、上糸または下糸からなる縫着されていない抜取用糸を延在させ、該抜取用糸を引っ張って抜き取ることでラベルが衣類より取り外される構成が開示されている。
【０００５】
特許文献２には、衣料品の表面に下げ札を取り付ける際に、水溶性繊維糸を用いて下げ札を衣料品に縫着する構成が開示されている。
【先行技術文献】
【特許文献】
【０００６】
【特許文献１】特開２００７−１５５９２２号公報
【特許文献２】特開２０１１−２３７５００号公報
【発明の概要】
【発明が解決しようとする課題】
【０００７】
しかし、特許文献１に開示された構成を採用しても、抜取用糸を引っ張って抜き取る際に当該抜取用糸が破断する場合があり、そのような事態が発生すると、最早従前と同様、ハサミ等の工具を用いてラベルを取り外すか、縫目に沿って力ずくでラベルを破断する以外に方法はなく、衣類に損傷を与える虞が完全に払拭される構成ではなかった。
【０００８】
また、特許文献２に開示された構成を採用する場合でも、水溶性繊維糸を溶解させるための最初の洗濯等の前の着用段階でラベルを除去する必要があり、同様の問題が内在している。仮に紙製のラベルが縫着された状態で衣類を洗濯すると、洗濯槽内でラベルが水に溶解して紙の繊維くずが衣類に付着し、その後に繊維くずを衣類から除去する非常に煩雑な作業が必要になる。
【０００９】
また、衣類の表面側に縫着される商品表示以外に、衣類の内面側に洗濯表示等の布製のラベルが縫着されており、このようなラベルも肌触りに影響を与える等の理由でハサミ等の工具を用いてラベルを取り外す場合があるが、ラベルの切断エッジが肌に当たると、却って肌触りが悪くなるという問題もあった。
【００１０】
本発明の目的は、上述した問題点に鑑み、衣類に損傷を与えることなく衣類に縫着されたラベルを極めて容易に取り外すことができるラベルの取付け構造、ラベルの取外し方法及びラベルを提供する点にある。
【課題を解決するための手段】
【００１１】
上述の目的を達成するため、本発明によるラベルの取付け構造の第一の特徴構成は、特許請求の範囲の書類の請求項１に記載した通り、衣類の所定部位に配置されたラベルを、前記衣類の縫着部の耐熱温度よりも低い温度で融解する低融点繊維糸を用いて当該衣類の一部に縫着することにより、当該ラベルの一部が当該衣類の一部と接合される点にある。
【００１２】
衣類の所定部位にラベルを配置して、低融点繊維糸を用いて当該衣類の一部に当該ラベルを縫着することにより、例えば販売のための展示や試着時であっても衣類から容易に離脱しない状態でラベルを取り付けることができる。そして、当該ラベルの縫着部を低融点繊維糸の融点（Ｔｍ）域まで加熱して、低融点繊維糸を融解させると、ラベルの衣類への縫着状態が瞬時に開放されて、衣類からラベルを極めて容易に取り外すことができる。低融点繊維糸の融点は、例えば衣類の縫着部の耐熱温度よりも低い温度であればよく、縫着部の生地の耐熱温度や衣類の縫着糸の耐熱温度、または当該ラベルの耐熱温度より低温であればよい。
【００１３】
これによって、ハサミ等の工具を用いてラベルを注意深く切断して取り外すような煩雑な作業から開放され、また縫目に沿って力ずくでラベルを破断する必要も無いので、衣類に解れや裂け等の損傷を与えることも回避できるようになる。
【００１４】
同第二の特徴構成は、同請求項２に記載した通り、上述の第一の特徴構成に加えて、前記ラベルと前記衣類とが、上糸と下糸の二本の縫糸が交絡する本縫いで縫着され、前記上糸と下糸の少なくとも一方に前記低融点繊維糸が用いられている点にある。
【００１５】
上糸と下糸の二本の縫糸が交絡する本縫いでラベルを衣類に縫着することが好ましく、その際、上糸と下糸の少なくとも一方に低融点繊維糸を用いることが好ましい。上糸と下糸の少なくとも一方を融点域まで加熱して、当該低融点繊維糸を融解させると、ラベルの衣類への縫着状態が瞬時に開放されて、衣類からラベルを極めて容易に取り外すことができるとともに、その時点で他方の糸は交絡状態から開放されているので、衣類から容易に離脱させることができる。上糸と下糸の少なくとも一方に低融点繊維糸を用いると、低融点繊維糸が高価な場合でも材料費を低減できる点で好ましく、上糸と下糸の双方に低融点繊維糸を用いると、加熱によって双方の糸が融解するので、ラベルを取り外した後に糸くずが残らない点で好ましい。
【００１６】
同第三の特徴構成は、同請求項３に記載した通り、上述の第一の特徴構成に加えて、前記ラベルと前記衣類とが、前記低融点繊維糸を用いた環縫いで縫着されている点にある。
【００１７】
低融点繊維糸を用いてラベルを衣類に環縫いで縫着する場合であっても、同様に低融点繊維糸を融点域まで加熱して融解させると、ラベルの衣類への縫着状態が瞬時に開放されて、衣類からラベルを極めて容易に取り外すことができる。特に布下に出た針糸ループに次の縫目形成で作られたループ状の針糸を挿入することによって針糸抜けを阻止する単環縫いで縫着する場合には、低融点繊維糸の一部を融解させれば、残りの縫い目が解けるので、糸くずが生じるものの、全ての縫着部を加熱するのに要する作業時間よりも短時間で加熱作業を終了させることができる点で好ましい。
【００１８】
尚、環縫いとして、布下に出た針糸ループに他糸（ルーパー糸）で作られたループを挿入することによって針糸抜けを阻止する二重環縫いで縫着する態様でもよく、この場合には針糸または他糸の少なくとも何れか一方に低融点繊維糸が用いられることが好ましい。
【００１９】
同第四の特徴構成は、同請求項４に記載した通り、上述の第一から第三の何れかの特徴構成に加えて、前記低融点繊維糸は、ポリアミド系繊維糸、ポリエステル系繊維糸またはポリオレフィン系繊維糸から選ばれる熱融着性繊維糸で構成されている点にある。
【００２０】
ラベルを衣類に縫着固定するために用いる低融点繊維糸として熱融着性繊維糸を用いるのが好ましく、特にポリアミド系繊維糸、ポリエステル系繊維糸、ポリオレフィン系繊維糸またはポリウレタン系合成繊維糸を好適に用いることができる。これらの熱融着性繊維糸を用いると、融解した樹脂がその近傍の繊維等に熱融着し、その後に温度が低下してもその熱融着部位で伸縮性が失われることがなく、また衣類の肌触りや着心地に影響を与えることがない。
【００２１】
同第五の特徴構成は、同請求項５に記載した通り、上述の第一から第四の何れかの特徴構成に加えて、前記低融点繊維糸の融点が５０℃から２００℃の範囲である点にある。
【００２２】
例えば、汎用されている合成繊維糸であるポリエステル繊維の融点は約２６０℃、ナイロン６６の融点は約２６５℃、ナイロン６の融点は約２２５℃である。また、天然繊維である麻や綿は液化することなく気化（熱分解）する。そこで、これら汎用の繊維の融点または熱分解温度よりも相対的に低い温度域が融点になる繊維糸をラベルの縫着糸として用いれば、縫着部の加熱時に衣類を構成する繊維に熱的なダメージを与えることなく、縫着糸のみを選択的に融解させることができる。そのような温度域が５０℃から２００℃の範囲にある低融点繊維糸を用いることが好ましい。５０℃より低ければ商品の流通過程での環境温度によって低融点繊維糸が融解する虞があり、２００℃以上であれば一般家庭にあるアイロンやヘアドライヤ等の加熱機器を用いても容易に融解させることができないためである。
【００２３】
同第六の特徴構成は、同請求項６に記載した通り、上述の第一から第五の何れかの特徴構成に加えて、前記低融点繊維糸は、単繊維繊度が２５ｄｔｅｘから１１０ｄｔｅｘのフィラメント糸が複数本撚糸されて構成されている点にある。
【００２４】
ラベルを衣類に縫着する際に用いるミシンの給糸機構に、編機の給糸機構のように糸の張力を適正な値に自動調整する機能が無い場合、繊度が小さなモノフィラメントの低融点繊維糸を用いるとラベルの縫着時に低融点繊維糸が破断する虞がある。逆に繊度が大きなモノフィラメントの低融点繊維糸を用いると、融解させるための加熱作業に比較的長い時間が必要になり作業の迅速性が損なわれる。しかし、単繊維繊度が２５ｄｔｅｘから１１０ｄｔｅｘのフィラメント糸を複数本撚糸することにより得られる低融点繊維糸を用いれば、ミシンを用いた縫着作業時に低融点繊維糸が容易に破断することなく、またラベルを取り外すための加熱にそれほど時間を要することなく迅速に融解させることができるようになる。
【００２５】
本発明によるラベルの取外し方法の特徴構成は、同請求項７に記載した通り、上述の第一から第六の何れかの特徴構成のラベルの取付け構造を用いて衣類に取り付けられたラベルの縫着部を、熱源を用いて前記低融点繊維糸の融点域に加熱して、前記低融点繊維糸を融解させた後に、前記衣類から前記ラベルを取り外す点にある。
【００２６】
衣類に取り付けられたラベルの縫着部を、例えば、家庭にあるアイロンやヘアドライヤ等の熱源を用いて加熱し、低融点繊維糸の融点域まで温度を上昇させると、低融点繊維糸が融解してラベルの縫着状態が解消され、ラベルが衣類から容易に離脱する。
【００２７】
本発明によるラベルの特徴構成は、請求項８に記載した通り、上述の第一から第六の何れかの特徴構成のラベルの取付け構造に用いられるラベルであって、当該ラベルの縫着部の加熱を促す案内表示部が設けられている点にある。
【００２８】
低融点繊維糸を用いて衣類に縫着されたラベルであっても、消費者が縫着に用いられた糸が低融点繊維糸であるか否か容易に判断できない場合には、ハサミ等の工具を用いてラベルを切断して取り外したり、縫目に沿って力ずくでラベルを破断したりすることにより、衣類に損傷を与える虞を十分に排除することができない。しかし、ラベルの縫着部の加熱を促す案内表示部を当該ラベルに備えていれば、消費者はそのような案内表示部に傾注して、ラベルの縫着部を加熱するようになり、衣類に損傷を与えるような事態の発生を効果的に低減することができるようになる。
【発明の効果】
【００２９】
以上説明した通り、本発明によれば、衣類に損傷を与えることなく衣類に縫着されたラベル等を極めて容易に取り外すことができるラベルの取付け構造、ラベルの取外し方法及びラベルを提供することができるようになった。
【図面の簡単な説明】
【００３０】
【図１】（ａ）は本発明によるラベルの取付け構造でアンダーシャツに取り付けられたラベルの説明図、（ｂ）はアンダーシャツに取り付けられたラベルの要部説明図
【図２】（ａ）から（ｄ）は本発明によるラベルの取外し方法の説明図
【図３】（ａ）はラベルの幅よりも広い幅で衣類の両側にはみ出すように縫着する態様の説明図、（ｂ）はラベルの幅よりも広い幅内で離散的に複数個所逢着する態様の説明図
【図４】（ａ）は別実施形態を示し、本発明によるラベルの取付け構造でショーツに取り付けられたラベルの説明図、（ｂ）は本発明によるラベルの取付け構造でアンダーシャツの内面側に取り付けられたサイズ等の表示ラベルの説明図
【発明を実施するための形態】
【００３１】
以下、本発明によるラベルの取付け構造、ラベルの取外し方法及びラベルを説明する。
図１（ａ）には、折り畳まれた状態の男性用の衣類１０の一例であるアンダーシャツ１０及びアンダーシャツ１０Ａに付された商品表示用の紙製のラベル１が示されている。
図１（ｂ）に示すように、当該ラベル１には製造元、連絡先、サイズ、素材、商品名、商品コード（バーコード）、価格等の商品情報が印刷表示された表品情報表示部２が設けられている。当該ラベル１はアンダーシャツ１０Ａの表面側胸元に配置され、Ｖネック形状の襟ぐり部１１の端縁縫製処理部１２に、端縁縫製処理部１２とは異なる別途のラベル縫着処理工程を経て縫着されている。
【００３２】
ラベル縫着処理工程では、衣類１０の所定部位に配置されたラベル１を、衣類１０の縫着部２０の耐熱温度よりも低い温度で融解する低融点繊維糸５を用いて、当該衣類１０の一部に縫着することにより、当該ラベル１の一部が当該衣類１０の一部と接合される。
【００３３】
低融点繊維糸５とは、ラベル１の縫着部２０の耐熱温度よりも低い温度で融解する合成繊維糸をいい、熱処理により融着する熱融着性繊維糸を好適に用いることができる。
【００３４】
熱融着性繊維糸として、ポリアミド系繊維糸、ポリエステル系繊維糸（ポリエステル共重合体繊維糸、脂肪族ポリエステル繊維糸）、ポリオレフィン系繊維糸、ポリウレタン系合成繊維糸等を好適に用いることができる。中でもポリアミド系繊維糸、ポリエステル系繊維糸、またポリウレタン系合成繊維糸をより好適に用いることができる。ポリアミド系繊維糸およびポリエステル系繊維糸は、強度が高く、工業用ミシンによる縫製にも耐えることができる点で好ましい。一方、ポリウレタン系合成繊維糸は、融解した樹脂がその近傍の繊維等に熱融着し、その後に温度が低下してもその熱融着部位で伸縮性が失われることがなく、また衣類の肌触りや着心地に影響を与えることがない点で好ましい。
【００３５】
具体的には、ポリアミド系繊維糸としてはナイロン６／１２、ナイロン６／６９、ナイロン６／６６／６１０、ナイロン６／６６／６１０／１２、ナイロン６／６６／６１０／１１等やその変性物からなるポリアミド共重合体繊維糸、ポリエステル系繊維糸としては脂肪族ポリエステル繊維糸やポリエステル共重合体繊維糸、ポリオレフィン系繊維糸としては、ポリエチレン繊維糸またはポリエチレン共重合体繊維糸、ポリプロピレン繊維糸またはポリプロピレン共重合体繊維糸、またポリウレタン系合成繊維糸としてはポリエステル系ポリウレタン繊維糸、ポリエーテル系ポリウレタン繊維糸、またはポリカーボネート系ポリウレタン繊維糸を好適に用いることができる。
【００３６】
これらの熱融着性繊維糸を用いると、融解した樹脂の一部がその近傍の繊維に熱融着し、その後に温度が低下してもその熱融着部位で伸縮性が失われることがなく、また衣類の肌触りや着心地に影響を与えることがない。
【００３７】
上述したラベル１の縫着部２０の耐熱温度とは、ラベル１の耐熱温度、ラベル１が縫着された衣類１０の生地を構成する繊維、または衣類１０の生地を縫製する縫い糸の耐熱温度をいう。
【００３８】
例えば、ラベル１が紙製であればラベル１が数十秒から数分の比較的短時間で熱分解する温度である約３００℃、衣類１０が綿や再生繊維で構成されている場合には綿等が数十秒から数分の比較的短時間で気化（熱分解）する温度である約２６０℃、衣類１０がナイロン繊維やポリエステル繊維等の合成繊維で構成されている場合にはそれらの融点である２２５℃〜２６５℃が耐熱温度となる。
【００３９】
そこで、これら汎用の繊維の融点または熱分解温度よりも相対的に低い温度域が融点になる繊維糸をラベル１の縫着糸として用いれば、例えばヘアドライヤやアイロン等を用いた縫着部２０の加熱時に衣類１０を構成する繊維に熱的なダメージを与えることなく、縫着糸のみを選択的に融解させることができる。
【００４０】
これによって、ハサミ等の工具を用いてラベル１を注意深く切断して取り外すような煩雑な作業から開放され、また縫目に沿って力ずくでラベルを破断する必要も無いので、衣類１０に解れや裂け等の損傷を与えることも回避できるようになる。
【００４１】
そのような温度域が５０℃から２００℃の範囲にある低融点繊維糸５を用いることが好ましく、５５℃から１７０℃の範囲にある低融点繊維糸５を用いることがさらに好ましく、６０℃から１４０℃の範囲にある低融点繊維糸５であれば特に好ましい。融点が５０℃より低ければ商品の流通過程での環境温度によって低融点繊維糸５が融解する虞があり、２００℃以上であれば一般家庭にあるアイロンやヘアドライヤ等の加熱機器を用いても容易に融解させることができない虞があり、長時間加熱すると衣類の生地を熱で傷める虞があるからである。融点が５５℃から１７０℃の範囲にあれば極めて迅速に融解でき、６０℃から１４０℃の範囲にあれば衣類１０の生地等を傷める虞も全く無い。
【００４２】
図２（ａ）には、ラベル１と衣類１０とが１本針本縫いミシンで縫着された縫着部２０が示されている。即ち、針糸である上糸３０の抜け止めのために、生地の裏側に出た針糸ループに下糸４０が交絡されている。本実施形態では、上糸３０に低融点繊維糸５が用いられ、下糸４０に綿糸等の低融点繊維糸５とは異なる種類の糸が用いられている。運針数は特に制限されず、低融点繊維糸５の物理的特性等に応じて適宜設定される。
【００４３】
図２（ｂ）に示すように、例えば、ヘアドライヤを用いて縫着部２０のラベル１側から低融点繊維糸５（上糸３０）に熱風を吹きつけて、低融点繊維糸５を融点域まで加熱すると、当該低融点繊維糸５が融解し、ラベル１の衣類１０への縫着状態が瞬時に開放される。ヘアドライヤに替えて所定温度に加熱されたアイロンを縫着部２０に接触させてもよいし、スチームアイロンの蒸気を吹き付けてもよい。図２（ｂ）中、破線は低融点繊維糸５（上糸３０）の融解前の状態を示している。
【００４４】
図２（ｃ）に示すように、低融点繊維糸５が融解すると、衣類１０からラベル１を極めて容易に取り外すことができる。また、その時点で下糸４０は交絡状態から開放されているので、図２（ｄ）に示すように、下糸４０も衣類１０から容易に離脱させることができる。
【００４５】
下糸４０に低融点繊維糸５を用い、上糸３０に綿糸等の低融点繊維糸５とは異なる種類の糸を用いてもよい。この場合、ヘアドライヤを用いて衣類１０の裏面側から縫着部２０に熱風を吹きつけて、低融点繊維糸５（下糸４０）を融点域まで加熱すればよい。尚、この場合でも縫着部２０のラベル１側から縫着部２０に熱風を吹きつけてもよいが、低融点繊維糸５（下糸４０）を融点域まで加熱するのに僅かに長い時間を要する。
【００４６】
上糸３０と下糸４０の双方に低融点繊維糸５を用いる場合には、ラベル１側または衣類１０の裏面側の何れから加熱してもよい。上糸３０と下糸４０の一方に低融点繊維糸５を用いると、低融点繊維糸５が高価な場合でも材料費を低減できる点で好ましく、上糸３０と下糸４０の双方に低融点繊維糸５を用いると、加熱によって双方の糸３０，４０が融解するので、ラベルを取り外した後に糸くずが残らない点で好ましい。
【００４７】
ラベル１の縫い幅や縫い位置は特に制限されず、図３（ａ）に示すように、ラベル１の幅よりも広い幅で衣類１０側にはみ出すように縫着してもよいし、図３（ｂ）に示すように、ラベル１の幅内で複数の箇所に離散的に縫着されていてもよい。
【００４８】
縫い糸に用いられる低融点繊維糸５は、繊度が２５ｄｔｅｘ（デシテックス）から１１０ｄｔｅｘ（デシテックス）のフィラメント糸が複数本撚糸されて構成されていることが好ましく、７５ｄｔｅｘ（デシテックス）から１１０ｄｔｅｘ（デシテックス）のフィラメント糸が３〜５本撚糸されて構成されていることがさらに好ましい。
【００４９】
ラベル１を衣類１０に逢着する際に用いる本縫いミシンの給糸機構に、糸の張力を適正な値に自動調整する機能が無くても、上述の条件で撚糸されていれば所定の強度が確保でき、低融点繊維糸５が破断することなく安定してラベル縫着処理工程を実行することができる。
【００５０】
図２（ａ）に示した本縫いでは、上糸３０（低融点繊維糸５）と下糸４０の交絡部が、衣類１０の生地とラベル１の厚み方向中央部に位置するように縫着しているが、上糸３０（低融点繊維糸５）と下糸４０の張力を調整できる場合には、交絡部が衣類１０の生地とラベル１の厚み方向ラベル１側に偏在するように縫着すると、ラベル１側からの加熱により短時間で交絡部まで融解できるようになる。反対に下糸４０に低融点繊維糸５を使用する場合には、交絡部が衣類１０の生地とラベル１の厚み方向反ラベル１側に偏在するように縫着するとよい。
【００５１】
ラベル１と衣類１０とが１本針本縫いミシンで縫着された態様以外に、ラベル１と衣類１０とが低融点繊維糸５を用いた環縫いで縫着された態様であってもよい。
【００５２】
ラベル１を環縫いで衣類１０縫着する場合であっても、同様に低融点繊維糸５を融点域まで加熱して融解させると、ラベル１の衣類１０への縫着状態が瞬時に開放されて、衣類からラベルを極めて容易に取り外すことができる。
【００５３】
特に、布下に出た針糸ループに次の縫目形成で作られたループ状の針糸を挿入することによって針糸抜けを阻止する１本針環縫いミシンを用いた単環縫いで縫着する場合には、低融点繊維糸５の一部を融解させれば、残りの縫い目が解けるので、糸くずが生じるものの、全ての縫着部２０を加熱するのに要する作業時間よりも短時間で加熱作業を終了させることができる点で好ましい。
【００５４】
尚、布下に出た針糸ループにルーパー糸で作られたループを挿入することによって針糸抜けを阻止する二重環縫いでラベル１を衣類１０に縫着する態様でもよく、この場合には針糸またはルーパー糸の少なくとも何れか一方に低融点繊維糸が用いられることが好ましい。
【００５５】
上述した低融点繊維糸の一例である低融点ポリエステル共重合体繊維糸を構成する低融点ポリエステル共重合体の好ましい共重合成分として、グリコール酸、３−ヒドロキシ酪酸、４−ヒドロキシ酪酸、４−ヒドロキシ吉草酸、６−ヒドロキシカプロン酸等のヒドロキシカルボン酸類の他、エチレングリコール、プロピレングリコール、ブタンジオール、ネオペンチルグリコール、ポリエチレングリコール、グリセリン、ペンタエリスリトール等の分子内に複数の水酸基を含有する化合物類またはそれらの誘導体、アジピン酸、セバシン酸、フマル酸、テレフタル酸、イソフタル酸、２，６−ナフタレンジカルボン酸、５−ナトリウムスルホイソフタル酸、５−テトラブチルホスホニウムイソフタル酸、５−テトラブチルホスホニウムイソフタル酸等の分子内に複数のカルボン酸基を含有する化合物類、またはそれらの誘導体が挙げられる。
【００５６】
脂肪族ポリエステル繊維糸を構成する脂肪族ポリエステルとして、例えばポリ乳酸、ポリグリコール酸、ポリ−３−ヒドロキシプロピオネート、ポリ−３−ヒドロキシブチレート、ポリ−３−ヒドロキシブチレートバリレート、ポリカプロラクトン等が挙げられる。
【００５７】
熱融着性繊維糸の市販品として、例えば、ロイカＳＦ（旭化成せんい社製、「ロイカ」は旭化成せんい社の登録商標）、モビロンＲＬ（日清紡績社製、「モビロン」は日清紡績社の登録商標）等が挙げられる。
【００５８】
他に８０〜１３０℃の乾熱や５０〜１００℃の湿熱で溶融するポリアミド系繊維糸として、例えばフロール（ユニチカ社製）、エルダー（東レ社製）、ジョイナー（フジボウ社製）等を用いてもよい。さらに、８０〜１３０℃の乾熱や５０〜１００℃の湿熱で溶融するポリエステル系繊維糸として、例えばソフィット（クラレ社製）、メルティ（ユニチカ社製）、ソルスター（三菱レイヨン社製）、ベルコンビ（鐘紡社製）、エステナール（東洋紡績社製）等を用いてもよい。
【００５９】
図１（ｂ）に示すように、ラベル１には、ラベル１の縫着部２０の加熱を促す案内表示部３が設けられている。案内表示部３には例えば「縫い目に沿ってドライヤーの熱風を当ててください。」等のメッセージが印刷されている。
【００６０】
低融点繊維糸を用いて衣類１０に縫着されたラベルであっても、縫着に用いられた糸が低融点繊維糸であるか否かが消費者に容易に判断できない場合には、ハサミ等の工具を用いてラベルを切断して取り外したり、縫目に沿って力ずくでラベルを破断したりすることにより、衣類に損傷を与える虞を十分に排除することができない。
【００６１】
しかし、ラベル１の縫着部２０の加熱を促す案内表示部３を当該ラベル１に備えていれば、消費者はそのような案内表示部３に傾注して、ラベル１の縫着部２０を加熱するようになり、衣類１０に損傷を与えるような事態の発生を効果的に低減することができる。
【００６２】
即ち本発明によるラベルの取付け構造は、衣類１０の所定部位に配置されたラベル１を、衣類１０の縫着部２０の耐熱温度よりも低い温度で融解する低融点繊維糸５を用いて当該衣類１０の一部に縫着することにより、当該ラベル１の一部が当該衣類１０の一部と接合される構造である。
【００６３】
さらに、本発明によるラベルの取外し方法は、上述のラベルの取付け構造を用いて衣類に取り付けられたラベル１の縫着部を、熱源を用いて低融点繊維糸５の融点域に加熱して、低融点繊維糸５を融解させた後に、衣類１０からラベル１を取り外す方法である。
【００６４】
図４（ａ）には、本発明によるラベルの取付け構造を用いて、衣類１０の一例である女性用のボクサーパンツ１０Ｂのウエスト部１３の表面側にラベル１が縫着された例が示されている。つまり、本発明が適用される衣類の対象は特に制限されることなく、インナーウェア、アウターウェア、帽子、靴下等任意の衣類に適用することができる。
【００６５】
また、図４（ｂ）には、本発明によるラベルの取付け構造を用いて、アンダーシャツ１０Ａの内側にサイズ等を表示する布製のラベルが縫着された例が示されている。つまり、本発明が適用されるラベルの対象は特に制限されることなく、、衣類の表面側に付される表品ラベル以外に、衣類の内面側に付されるサイズ表示用のラベルや洗濯表示用のラベル等の任意のラベルに適用することができる。
【００６６】
さらに、ラベルの素材も紙製に限らず、布製や樹脂製等のラベルに適用することができる。
【００６７】
上述した実施形態は、本発明の一実施例の説明に過ぎず、該記載により本発明の範囲が制限されることは無く、本発明の作用効果が奏される範囲で適宜変更設計できることはいうまでもない。
【産業上の利用可能性】
【００６８】
本発明によるラベルの取付け構造、ラベルの取外し方法及びラベルは、商品表示や、サイズ表示や、洗濯表示等の各種のラベルを衣類に付し、或いは取り外す際に広く活用することができる。
【符号の説明】
【００６９】
１：ラベル
２：表品情報表示部
３：案内表示部
５：低融点繊維糸
１０：衣類
１０Ａ：アンダーシャツ
１０ｂ：ショーツ
１１：襟ぐり部
２０：縫着部
３０：上糸
４０：下糸
【図１】
2014160159.tif 000003
【図２】
2014160159.tif 000004
【図３】
2014160159.tif 000005
【図４】
2014160159.tif 000006